(57)【特許請求の範囲】
【請求項１】
双方向無線充電方法であって、
充電が必要な場合に需要電子機器へのモード変更を実行するステップと、
少なくとも１つの電子機器からの充電を要請するステップと、
充電要請を受信した少なくとも１つの電子機器から状態情報を受信するステップと、
前記状態情報に基づいて前記電子機器を選択するステップと、
前記選択された少なくとも１つの電子機器から供給された電力を受信することにより充電を実行するステップと
充電セッション終了後に、充電結果に従う課金及び割引情報のうち少なくとも一つを受信するステップと、
を有し、
前記状態情報は、無線充電サービス加入情報、及び無線通信装置の位置情報を含むことを特徴とする双方向無線充電方法。
【請求項２】
前記少なくとも１つの電子機器からの充電を要請するステップは、近距離通信を通して少なくとも１つの電子機器からの充電を要請するステップであり、前記近距離通信は、ジグビー、ブルートゥース（登録商標）、無線地域ネットワーク（ＬＡＮ）、及び超広帯域無線（ＵＷＢ）のうちの１つを使用して実行されることを特徴とする請求項１に記載の双方向無線充電方法。
【請求項３】
前記状態情報は、無線充電が提供されることができるか否かに関する情報を含み、充電可能電力量、無線通信装置の識別情報のうちの少なくとも１つをさらに含むことを特徴とする請求項１に記載の双方向無線充電方法。
【請求項４】
前記状態情報に基づいて電子機器を選択するステップは、
前記状態情報を受信することにより無線充電が可能な前記電子機器を判定するステップと、
複数の電子機器が無線充電を実行することができる場合に、前記無線充電を実行することができる電子機器との電力送信効率を測定するステップと、
最も高い電力送信効率を有する電子機器を電力の供給を受けるための前記電子機器として選択するステップと
を有することを特徴とする請求項１に記載の双方向無線充電方法。
【請求項５】
双方向無線充電方法であって、
充電要請が受信される場合に供給電子機器へのモード変更を実行するステップと、
充電を要請した電子機器に状態情報を送信するステップと、
前記充電を要請した電子機器に電力を供給することにより充電を実行するステップと、
充電セッション終了後に、充電結果に従う課金及び割引情報のうち少なくとも一つを受信するステップと、
を有し、
前記状態情報は、無線充電サービス加入情報、及び無線通信装置の位置情報を含むことを特徴とする双方向無線充電方法。
【請求項６】
充電要請が受信される場合に供給電子機器へのモード変更を実行するステップは、前記充電要請が近距離通信を通して受信される場合に供給電子機器へのモード変更を実行するステップであり、前記近距離通信は、ジグビー、ブルートゥース（登録商標）、無線地域ネットワーク（ＬＡＮ）、及び超広帯域無線（ＵＷＢ）のうちの１つを使用して実行されることを特徴とする請求項５に記載の双方向無線充電方法。
【請求項７】
前記状態情報は、無線充電が提供されることができるか否かに関する情報を含み、充電可能電力量、無線通信装置の識別情報のうちの少なくとも１つをさらに含むことを特徴とする請求項５に記載の双方向無線充電方法。
【請求項８】
前記無線充電が提供されることができるか否かは、前記充電を要請した電子機器が無線充電サービスに加入したか否か、前記充電を要請した電子機器が前記電力を受信することができるか否か、及び前記供給電子機器の残っている電力量を考慮して決定されることを特徴とする請求項７に記載の双方向無線充電方法。
【請求項９】
無線充電を完了する前に充電セッションが解除された場合に、無線充電セッションの解除を報告するメッセージ及び充電結果情報をサーバに送信するステップをさらに有することを特徴とする請求項５に記載の双方向無線充電方法。
【請求項１０】
双方向無線充電装置であって、
無線充電を実行する無線充電部と、
近距離通信を実行する無線通信部と、
無線充電の間の充電状態を表示する表示部と、
ユーザ入力を受信する入力部と、
充電が必要な場合に、無線充電装置の需要電子機器へのモード変更を実行し、少なくとも１つの電子機器からの充電を要請し、充電要請を受信した少なくとも１つの電子機器から状態情報を受信し、前記状態情報に基づいて前記電子機器を選択し、前記選択された少なくとも１つの電子機器から供給された電力を受信することにより充電を実行する制御部と
を有し、前記制御部は、充電セッション終了後に、充電結果に従う課金及び割引情報のうち少なくとも一つを受信し、
前記状態情報は、無線充電サービス加入情報、及び無線通信装置の位置情報を含むことを特徴とする双方向無線充電装置。
【請求項１１】
前記制御部が前記少なくとも１つの電子機器からの充電を要請することは、近距離通信を通して少なくとも１つの電子機器からの充電を要請することであり、前記近距離通信は、ジグビー、ブルートゥース（登録商標）、無線地域ネットワーク（ＬＡＮ）、及び超広帯域無線（ＵＷＢ）のうち１つを使用して実行されることを特徴とする請求項１０に記載の双方向無線充電装置。
【請求項１２】
前記状態情報は、無線充電が提供されることができるか否かに関する情報を含み、充電可能電力量、無線通信装置の識別情報のうちの少なくとも１つをさらに含むことを特徴とする請求項１０に記載の双方向無線充電装置。
【請求項１３】
前記制御部が前記状態情報に基づいて前記電子機器を選択することは、
前記状態情報を受信することにより無線充電が可能な前記電子機器を判定し、複数の電子機器が無線充電を実行することができる場合に前記無線充電が可能な電子機器との電力送信効率を測定し、最も高い電力送信効率を有する電子機器を電力の供給を受けるための前記電子機器として選択することを特徴とする請求項１０に記載の双方向無線充電装置。
【請求項１４】
前記制御部は、充電要請が受信される場合に供給電子機器へのモード変更を実行し、前記充電を要請した電子機器に状態情報を送信し、前記充電を要請した電子機器に電力を供給することにより充電を実行することを特徴とする請求項１０に記載の双方向無線充電装置。
【請求項１５】
前記制御部が前記充電を要請した電子機器に電力を供給することにより充電を実行することは、前記充電を要請した電子機器から充電セッション開始メッセージを受信し、前記充電セッション開始メッセージに対する応答を送信し、前記充電を要請した電子機器に前記電力を供給することにより前記充電を実行することを特徴とする請求項１４に記載の双方向無線充電装置。
【発明の詳細な説明】
【技術分野】
【０００１】
本発明は、電子機器の無線充電に関し、特に、近距離通信を用いて電子機器間の無線充電を実行するための方法及び装置に関する。
【背景技術】
【０００２】
携帯電話又はパーソナルディジタルアシスタント（Personal Digital Assistant：ＰＤＡ）などのような移動端末機は、再充電可能なバッテリーで駆動され、このようなバッテリーを充電するためには、電気エネルギーは、個別の充電装置を用いて移動端末機のバッテリーに供給される。一般に、充電装置及びバッテリーは、個別の接触端子が備えられており、これは、接触端子を通して電気的に接続される。
【０００３】
しかしながら、このような接触式充電方式は、外部に突出している接触端子が異物により汚染しやすく、湿気にも露出する場合があり、これは、適切なバッテリー充電を妨害するという問題点がある。
【０００４】
このような問題点を解決するために、最近では、無線充電又は非接触充電技術が開発されており、多くの電子機器に活用されている。
【０００５】
このような無線充電技術は、無線電力送受信を使用し、１つの例は、個別の充電コネクターに携帯電話を接続せず充電パッドに載せられるバッテリーを自動で充電することができるシステムである。一般的に知られた例は、無線電動歯ブラシ又は無線電気カミソリを含む。このような無線充電技術は、電子機器を無線で充電することにより防水機能を向上させることができ、有線充電器を必要としないので電子機器の携帯性を向上させることができる。来る電気自動車世代にも関連した技術が開発されるものと予想される。
【０００６】
このような無線充電技術は、一般に、コイルを使用する電磁気誘導方式、共振（Resonance）を使用する方式、及び電気エネルギーをマイクロ波に変換することにより電力を転送する無線周波数（Radio Frequency：ＲＦ）／マイクロ波放射（MicroWave Radiation）方式などに分類される。
【０００７】
従来では、電磁誘導方式充電技術が主流をなしているが、最近では、国内外でマイクロ波を用いて数十メートル距離内で無線で電力を送信する実験に成功しており、したがって、近い将来には、すべての電子機器をいつどこでも無線で充電することができるものと予想される。
【０００８】
電磁誘導方式電力送信方法は、コイルの周辺に磁石を移動させる場合に電流が誘導されることにより電気が発生するという属性を用いて１次コイルと２次コイルとの間の電力を送信する方式であり、これを用いて、送信端は磁場を発生させ、受信端は磁石として機能することによりエネルギーを生成する。このような現象は、磁気誘導現象と呼ばれ、この現象を用いる電力送信方法は、優秀なエネルギー送信効率を有する。
【０００９】
電磁誘導方式は、最も広く実用化され、様々な機器に応用されている。従来技術における無線非接触充電技術は、主に電磁誘導方式を採択し、ニッケルバッテリを使用する電気カミソリ、電動歯ブラシなどの製品に適用されてきた。
【００１０】
共振（Resonance）方式は、電磁波の共振特性を用いる方式である。２００５年にＭＩＴのＳｏｌｊａｃｉｃ教授が結合モード理論（Coupled Mode Theory）に対応する共振方式電力送信原理を使用して充電される装置から数メートル離れていても電気を無線で転送するシステムを発表した。音叉を使用する共鳴の物理概念は、ＭＩＴ研究チームの無線充電システムで使用された。ＭＩＴ研究チームは、音を共鳴させる代わりに電気エネルギーを運搬する電磁波が共鳴するようにした。このような共振電磁波は、共振周波数を有する機器が存在する場合のみに直接転送され、使用されない部分は、空気の中に拡散する代わりに電磁場に再吸収されるので、他の電磁波とは異なり周辺の機械又は身体には影響を及ぼさない。
【００１１】
ＲＦ／マイクロ波放射（RF/microwave radiation）方式は、電力エネルギーを無線送信に有利なマイクロ波に変換させることによりエネルギーを転送する新たな電力送信方式である。電力送信は、ラジオ受信機、無線電話などのように無線通信方式で使用される信号の代わりに電気エネルギーを送信するものである。すなわち、通常の通信は搬送波信号に載せられる信号を送信し、他方、無線電力送信は搬送波のみを送信する。
【００１２】
従来技術の無線充電技術は、電気カミソリ又は電動歯ブラシに限定されて適用される。最近では、共振方式が開発され、携帯電話及びＴＶにも無線充電技術を導入するために多くの研究が進んでいる。したがって、必要であれば、電力需給を行うことができる装置間に相互の電力充電を助けるための方法が研究されている。
【先行技術文献】
【特許文献】
【００１３】
【特許文献１】韓国特許出願公開第１０−２００９−０１０３７４９号公報
【特許文献２】米国特許出願公開第２００７−００９６６９１号明細書
【特許文献３】特開２００３−０７０１８７号公報
【発明の概要】
【発明が解決しようとする課題】
【００１４】
本発明の目的は、少なくとも上述した問題点及び／又は不都合に取り組み、少なくとも以下の便宜を提供することにある。すなわち、本発明の目的は、電子機器間の無線充電を実行することができる無線充電方法及び装置を提供することにある。
【課題を解決するための手段】
【００１５】
上記のような目的を達成するために、本発明の一態様によれば、双方向無線充電方法が提供される。上記方法は、充電が必要な場合に需要電子機器へのモード変更を実行するステップと、少なくとも１つの電子機器からの充電を要請するステップと、上記充電要請を受信した少なくとも１つの電子機器から状態情報を受信するステップと、上記状態情報に基づいて上記電子機器を選択するステップと、上記選択された少なくとも１つの電子機器から供給された電力を受信することにより充電を実行するステップとを有することを特徴とする。
【００１６】
本発明の一実施形態による双方向無線充電方法は、無線充電が完了する場合に充電結果情報をサーバに送信するステップをさらに含むことができる。
【００１７】
本発明の他の態様によれば、双方向無線充電方法が提供される。上記方法は、充電要請が受信される場合に供給電子機器へのモード変更を実行するステップと、上記充電を要請した電子機器に状態情報を送信するステップと、上記充電を要請した電子機器に電力を供給することにより充電を実行するステップとを有することを特徴とする。
【００１８】
本発明の他の実施形態による双方向無線充電方法は、無線充電を完了する前に充電セッションが解除された場合に、無線充電セッションの解除を報告するメッセージ及び充電結果情報をサーバに送信するステップをさらに含むことを特徴とする。
【００１９】
本発明のさらに他の態様によれば、双方向無線充電装置が提供される。上記装置は、無線充電を実行する無線充電部と、近距離通信を実行する無線通信部と、無線充電の間の充電状態を表示する表示部と、ユーザ入力を受信する入力部と、充電が必要な場合に、上記無線充電装置の需要電子機器へのモード変更を実行し、少なくとも１つの電子機器からの充電を要請し、上記充電要請を受信した少なくとも１つの電子機器から状態情報を受信し、上記状態情報に基づいて上記電子機器を選択し、上記選択された少なくとも１つの電子機器から供給された電力を受信することにより充電を実行する制御部とを有することを特徴とする。
【発明の効果】
【００２０】
本発明によれば、電子機器、例えば、無線通信装置が近距離通信を用いて無線充電を要請することにより、周辺の無線充電が可能な他の電子機器、例えばパワーステーション又は他の無線通信装置から電力を受信することができる。
【００２１】
したがって、ユーザは、バッテリー放電に関する心配なしに他の電子機器から無線で電力を受信することができる。また、無線通信装置を用いて充電を提供した他のユーザは、課金の割引などのサービスを受信することができ、通信プロバイダーは、中間手数料の取得のような追加利益の実現が可能である。
【００２２】
また、電力提供が可能な周辺の無線通信装置又は無線充電サービスを提供するためのパワーステーションのような電子機器を探索する時に、この探索動作は、既存のサーバ又はＡＰの代わりに近距離通信網を用いてより簡単な方式で実行することができる。
【００２３】
本発明の他の目的、効果、及び顕著な特徴は、添付図面が併用される本発明の実施形態を開示する後述の詳細な説明から、当業者にとって一層明らかになる。
【図面の簡単な説明】
【００２４】
【図１】本発明の一実施形態による電子機器の無線充電システムの構成を示す図である。
【図２Ａ】本発明の一実施形態による無線充電が可能な電子機器の構成を示す図である。
【図２Ｂ】本発明の一実施形態による無線充電が可能な電子機器の構成を示す図である。
【図３】本発明の一実施形態による無線通信装置の無線充電動作の間の充電要請装置の動作フローを示す図である。
【図４】本発明の一実施形態による無線通信装置の無線充電動作の間の電力が不足した無線通信装置が実行した電力要請動作を概略的に示す図である。
【図５】本発明の一実施形態による無線通信装置の無線充電動作の間の電力要請に対する応答メッセージを受信する動作を概略的に示す図である。
【図６】本発明の一実施形態による無線通信装置の無線充電動作の間の無線充電結果を送信する動作を概略的に示す図である。
【図７】本発明の一実施形態による無線通信装置の無線充電動作の間の充電提供装置の動作フローを示す図である。
【図８】本発明の一実施形態による無線通信装置の無線充電動作の間のサーバの動作フローを示す図である。
【発明を実施するための形態】
【００２５】
以下、本発明の好適な実施の形態を添付した図面を参照して詳しく説明する。また、以降の説明では、具体的な特定事項を示しているが、これは、本発明のより全般的な理解を助けるべく提供しただけであって、このような特定事項なしでも本発明が実施できることは、当該技術分野における通常の知識を有する者には自明である。そして、本発明を説明するに際し、関連公知機能あるいは構成についての具体的な説明が、本発明の要旨を不要に曖昧にするおそれがあると判断される場合は、その詳細な説明を省略する。
【００２６】
本発明は、無線通信が可能な電子機器間の無線充電方法及び装置を提案する。
【００２７】
図１は、本発明の一実施形態による電子機器の無線充電システムの構成を示す図である。
【００２８】
図１を参照すると、本発明の一実施形態による電子機器の無線充電システムは、無線充電が可能な無線通信装置１０４、１０５、及び１０６と、各無線通信装置１０４、１０５、及び１０６間の通信及び課金情報を管理するための基地局サーバ１０１と、基地局／ＡＰ１０３を基地局サーバ１０１に接続するネットワークであるバックボーン（Backbone）１０２と、無線通信装置１０４、１０５、及び１０６とバックボーンとを接続する基地局／ＡＰ１０３とを含む。
【００２９】
基地局／ＡＰ１０３は、近距離通信（ジグビー（ZigBee）（登録商標）、ブルートゥース（Bluetooth）（登録商標）、ＷｉＦｉ、ＵＷＢなど）モデムを搭載したアクセスポイント（ＡＰ）の機能を実行することができる。
【００３０】
図１において、無線充電が可能な電子機器として無線通信装置を例に挙げている。しかしながら、無線電力の需給が可能なすべての電子機器が可能である。例えば、３Ｄメガネ、モバイルＰＣ、電気自動車、地下鉄などは、無線充電が可能な電子機器であり得る。また、電力を提供するための電子機器は、特定の地域に設置されることにより電力を周辺の無線充電可能装置に提供するパワーステーション（Power Station）のような電子機器であり得る。
【００３１】
図２Ａ及び図２Ｂは、本発明の一実施形態による無線充電が可能な電子機器の構成を示す図である。図２Ａは、無線充電を実行する電力送信部２１０及び電力受信部２２０の構成を示し、図２Ｂは、無線充電が可能な電子機器の構成を示す。
【００３２】
図２Ａを参照すると、無線充電を通して電力を提供する機器１０は、電力送信部２１０を含む。電力送信部２１０は、電力変換部２１１と、制御部２１３と、コイル２１２とを含む。図２Ａに示すように、電力変換部２１１は、磁場を生成するためにコイル２１２に接続される。制御部２１３は、所望のレベルまで電力を電力受信機器２０に供給するように電力変換部２１１を制御する。電力送信部２１０は、幾つかの電力変換部２１１を含むことができる。
【００３３】
電力受信機器２０は、電力受信部２２０を含む。電力受信部２２０は、電力配送部２２１と、制御部２２３と、コイル２２２とを含む。電力配送部２２１は、電力送信部２１０及び電力変換部２１１と同様の方式で電力を伝達するためにコイル２２２に接続される。携帯機器は、一般的に、１つの電力受信部２２０を含む。通信及び制御部２２３は、電力配送部２２１に接続された適切な負荷に電力を供給するように制御する。一般的に、充電用バッテリーが負荷の代表的な例であり、電力配送部２２１は、携帯機器のケース又はバッテリー２２４に含まれることができる。
【００３４】
また、無線充電を実行するための機器は、電力送信部２１０及び電力受信部２２０を含む無線充電部を含み得る。
【００３５】
図２Ｂは、本発明の一実施形態による無線充電が可能な電子機器の構成を示す。無線充電が可能な電子機器は、制御部２５０と、入力部２６０と、表示部２６５と、格納部２７０と、無線通信部２７５と、無線充電部２５５とを含む。
【００３６】
入力部２６０は、物理的なキーパッド、キーボード、マウス、タッチスクリーンなどで構成され、ユーザ入力を受信する。
【００３７】
表示部２６５は、制御部２５０の制御の下に表示される内容を出力する。本発明の一実施形態において、表示部２６５は、無線充電が行われる時に充電状態及び充電が完了したか否かを表示し、充電が完了した時に充電結果を表示する。
【００３８】
格納部２７０は、無線充電が可能な電子機器を動作するのに必要な情報を格納する。
【００３９】
無線通信部２７５は、他の電子機器又は基地局／サーバと移動通信を実行する。本発明の実施形態において、無線通信部２７５は、ジグビー、ブルートゥース（登録商標）、ＷｉＦｉ、ＵＷＢ（Ultra-Wide Band）などのような近距離通信を用いて他の電子機器からの無線充電を要請し、この要請に対する応答を受信する。
【００４０】
無線充電部２５５は、無線充電を実行するために図２Ａに示す電力送信部及び電力受信部を含む。
【００４１】
制御部２５０は、無線充電が可能な電子機器の各構成要素を制御する。本発明の一実施形態において、制御部２５０は、充電が必要な場合に対応する電子機器を需要電子機器に設定（モード変更）し、少なくとも１つの電子機器からの充電を要請し、充電要請を受信した少なくとも１つの電子機器から状態情報を受信し、電力供給を受信するために状態情報に基づいて第２の電子機器を選択し、選択された少なくとも１つの第２の電子機器から供給された電力を受信することにより無線充電を実行する。
【００４２】
制御部は、ジグビー、ブルートゥース（登録商標）、無線ＬＡＮ、及びＵＷＢのうちの１つを使用する近距離通信を介して少なくとも１つの電子機器からの充電を要請する。
【００４３】
一方、状態情報は、無線充電が提供されることができるか否かに関する情報を含み、充電可能電力量、無線通信装置の識別情報、無線充電サービス加入情報、及び装置の位置情報のうちの少なくとも１つをさらに含む。
【００４４】
また、制御部は、状態情報に基づいて無線充電が可能な電子機器を把握し、複数の電子機器が無線充電を実行することができる場合に、充電を要請した第１の電子機器と無線充電が可能な電子機器との間の電力送信効率を測定し、電力送信効率が高い装置から供給される電力を受信するための第２の電子機器を選択する。
【００４５】
さらに、制御部は、無線充電が完了した場合に、充電結果情報を課金のためのサーバに送信するように動作する。
【００４６】
一方、電子機器が充電要請を受信する場合に、制御部は、電子機器を供給電子機器に設定し、この充電を要請した電子機器に状態情報を送信し、この充電を要請した電子機器に電力を供給することにより無線充電を実行する。
【００４７】
この充電を要請した電子機器に送信される状態情報は、無線充電が提供されることができるか否かに関する情報を含み、充電可能電力量、無線通信装置の識別情報、無線充電サービス加入情報、及び無線通信装置の位置情報のうちの少なくとも１つをさらに含む。
【００４８】
この時に、無線充電が提供されることができるか否かは、この充電を要請した電子機器が無線充電サービスに加入したか否か、この充電を要請した電子機器が電力を受信することができるか否か、及び供給電子機器の残りの電力量を考慮して決定される。
【００４９】
また、制御部は、無線充電を完了する前に充電セッションが解除される場合に、無線充電セッションの解除を報告するメッセージ及び充電結果情報を課金のためのサーバに送信する。
【００５０】
図３は、本発明の一実施形態による無線通信装置の無線充電動作の間の充電要請装置の動作フローを示す図である。図３を参照すると、ステップ３０５において、無線通信装置が無線充電機能を設定する場合に、ステップ３１０において、無線通信装置は、無線通信装置の現在の電力量を測定することにより充電が必要であるか否かを判定する。ステップ３１０において、この充電が必要でないと判定される場合に、無線通信装置は、ステップ３１５に進み、所定の時間の間に待機した後にさらにステップ３１０に進む。
【００５１】
ステップ３１０において、判定の結果として充電が必要であると判定される場合に、無線通信装置は、無線充電のための需要電子機器に設定され、ステップ３２０に進み、近距離通信網を用いて周辺の他の無線通信装置又は電力提供が可能な電子機器に充電要請メッセージを送信する。
【００５２】
図４は、本発明の一実施形態による無線通信装置の無線充電動作の間の電力が不足した無線通信装置が実行した電力要請動作を概略的に示す図である。図４に示すように、移動通信装置１０４が電力が不足し、充電が必要であると判定する場合に、移動通信装置１０４は、充電要請メッセージを近距離通信を用いて周辺の他の無線通信装置１０５及び１０６に送信する。この場合に、この充電要請メッセージは、必要な電力量、対応する移動通信装置の端末識別情報などを含む。また、ＧＰＳ又はＡＰを用いて測定された移動通信装置自体の位置情報を送信することができる。
【００５３】
本発明の実施形態において、近距離通信は、ジグビー、ブルートゥース（登録商標）、無線ＬＡＮ、又はＵＷＢのような近距離通信を用いて実行することができ、無線充電システム上で可能な任意の通信プロトコルであることができる。
【００５４】
また、無線充電要請を受信し無線充電を実行する装置は、無線充電が可能な他の無線通信装置であることができ、又は無線充電を実行するために設置されたパワーステーションのような電力を提供することができるすべての電子機器であることができる。同様に、図３では無線充電を要請する無線通信装置を例に挙げたが、無線充電が可能なすべての電子機器は、同一の動作を実行することができる。
【００５５】
次いで、ステップ３２５において、充電を要請した無線通信装置は、充電要請メッセージを受信した周辺の他の無線通信装置から要請メッセージに対する応答を受信する。このような応答メッセージは、無線通信装置が無線充電を提供することができるか否かを含む状態情報を含む。例えば、この応答メッセージは、充電可能電力量、無線通信装置の識別情報、無線充電サービス加入情報、及び無線通信装置の位置情報をさらに含むことができる。
【００５６】
図５は、本発明の一実施形態による無線通信装置の無線充電動作の間の電力要請に対する応答メッセージを受信する動作を概略的に示す図である。図５に示すように、充電を要請した無線通信装置１０４は、ステップ３２０で送信した充電要請メッセージに対する応答で受諾又は拒絶メッセージを受信する。この場合に、複数の受諾メッセージが受信される場合に、無線通信装置１０４は、受諾メッセージを応答した装置と無線充電を要請した無線通信装置との間の電力送信効率を測定し、効率が高い装置を充電を実行する装置として選択する。
【００５７】
次いで、ステップ３３０において、無線通信装置は、充電要請に対する応答として受信された状態情報メッセージのうちで、無線充電受諾メッセージが少なくても１つ存在するか否かを判定する。ステップ３３０において、判定の結果として受諾メッセージが受信されない場合に、無線通信装置はステップ３３５に進み、所定の時間の間に待機した後に、ステップ３２５にさらに進む。
【００５８】
ステップ３３０において、判定の結果として少なくとも１つの受諾メッセージが受信される場合に、無線通信装置は、ステップ３４０に進み、充電要請を受諾した周辺の通信装置の中から電力を受信しようとする装置を選択し、次いで、充電セッション開始メッセージを選択した装置に送信し、ステップ３４５に進み、充電セッション開始メッセージに対する応答を受信し、無線充電セッションを開始する。
【００５９】
他方、充電セッション開始メッセージは、ステップ３２０で送信する充電要請メッセージに含まれることができ、ステップ３２５において、充電要請メッセージに対する応答は、充電セッション開始メッセージに対する応答に含まれることができる。
【００６０】
次いで、ステップ３５０において、無線通信装置は、充電セッションが完了したか否かを判定する。ステップ３５０において、判定の結果として充電セッションが完了しない場合には、無線通信装置は、充電セッションが解除されたか否かを判定する。充電セッションが解除されない場合には、無線通信装置は、ステップ３５０にさらに進む。ステップ３７０において、充電が完了する前に充電を実行する２つの装置が遠く離れている場合に充電セッションが解除されることができる。この場合に、電力を提供した装置がセッションが解除されたことをサーバに通知し、ステップ３７５において、無線通信装置は、充電セッション解除報告メッセージをサーバから受信することによりステップ３６５に進む。他方、無線充電を実行する２つの装置間の近距離通信が可能であり、セキュリティが確実な場合に、充電セッションが解除された状態は、サーバを通過せず直接転送されることができる。
【００６１】
ステップ３５５において、判定の結果として充電セッションが完了した場合には、無線通信装置は、充電提供装置から充電セッションの完了を報告するメッセージ及び充電結果に関する情報を受信する。次いで、ステップ３６０において、電力を受信した無線通信装置は、充電結果に関する情報をサーバに送信する。
【００６２】
図６は、本発明の一実施形態による無線通信装置の無線充電動作の間の無線充電結果を送信する動作を概略的に示す図である。
【００６３】
図６に示すように、無線通信装置１０４は、充電要請を受諾した周辺装置の中から電力を提供する装置（図６の無線通信装置１０６）を選択し、選択された通信装置１０６から電力を受信する。この後に、充電が完了した場合に、電力を受信した装置１０４及び電力を供給した装置１０６は、充電結果をサーバに送信するために基地局／ＡＰ１０３に充電結果を送信する。
【００６４】
次いで、ステップ３６５において、無線通信装置は、充電結果に従う課金及び割引情報を基地局サーバ１０１から受信し、この充電過程を終了する。
【００６５】
図７は、本発明の一実施形態による無線通信装置の無線充電動作の間の充電提供装置の動作フローを示す図である。
【００６６】
図７を参照すると、ステップ７０５において、充電提供装置は無線充電機能を設定し、ステップ７１０において、充電要請装置から充電要請メッセージを受信する。ステップ７１５において、充電要請メッセージを受信した充電提供装置は、無線充電のための供給電子機器に設定され、充電要請装置（需要電子機器）が無線充電サービスに加入したか否か、充電要請装置が電力を受信することができるか否かを確認し、供給電子機器の残りの電力量を考慮して電力受信が可能であるか否かを確認する。
【００６７】
ステップ７１５において、電力受信が不可能である場合には、充電提供装置は、ステップ７２０に進み、充電拒絶メッセージを含む状態情報を充電要請装置に送信することによりこの過程を終了する。
【００６８】
ステップ７１５において、電力受信が可能である場合には、充電提供装置は、ステップ７２５に進み、無線充電が可能であることを充電要請装置に通知する充電受諾メッセージを含む状態情報を送信する。この後に、ステップ７３０において、充電セッション開始メッセージが充電要請装置から受信される場合に、ステップ７３５において、充電セッション開始メッセージに対する応答を充電要請装置に送信し、無線充電セッションを開始する。
【００６９】
この後に、ステップ７４０において、充電提供装置は、充電セッションが完了したか否かを判定し、ステップ７４０において、判定の結果として充電セッションが完了しなかった場合に、充電提供装置は、充電セッションが解除されたか否かを判定する。ステップ７４５において、判定の結果として充電セッションが解除されない場合に、充電提供装置は、ステップ７４０に進み、充電セッションを継続し、他方、ステップ７４５において、判定の結果として充電セッションが解除された場合には、充電提供装置は、ステップ７５０に進み、充電セッションが解除されたことを通知するメッセージ及び充電結果情報をサーバに送信する。充電が完了する前に充電を実行する２つの装置が遠く離れている場合に充電セッションが解除されることができる。この場合に、充電提供装置は、充電要請装置の識別情報もサーバに送信する。
【００７０】
ステップ７４０において、充電セッションが完了した場合に、充電提供装置は、ステップ７５５に進み、充電セッション完了メッセージ及び充電結果情報を充電要請装置に送信する。充電提供装置は、充電要請装置の識別情報、充電電力量などを含む充電結果情報を送信する。その後に、ステップ７６０において、充電提供装置は、充電結果に従う課金及び割引に関する情報をサーバから受信する。
【００７１】
図８は、本発明の一実施形態による無線通信装置の無線充電動作の間のサーバの動作フローを示す図である。
【００７２】
図８を参照すると、ステップ８０５において、サーバは、充電セッション解除報告メッセージが充電提供装置から受信されるか否かを判定し、充電セッション解除報告メッセージが受信される場合に、ステップ８１０において、サーバは、充電要請装置の識別情報（ＩＤ）を含む充電結果情報を充電提供装置から受信する。他方、ステップ８０５において、充電セッション解除報告メッセージが受信されない場合に、ステップ８２５において、サーバは、充電結果情報が充電要請装置から受信されるか否かを判定する。ステップ８２５において、充電結果情報が充電要請装置から受信されない場合に、サーバは、無線充電動作を終了する。他方、ステップ８２５において、充電結果情報が充電要請装置から受信される場合に、サーバは、ステップ８３０に進み、充電提供装置のＩＤを用いて充電結果情報を要請することにより充電結果情報を受信する。ステップ８１５において、サーバは、充電セッションがステップ８１０で受信した充電要請装置の識別情報を用いて解除されることを充電要請装置に通知するメッセージを送信する。ステップ８１０乃至ステップ８１５において、充電要請装置と充電提供装置との間の近距離通信が可能であり、保安が保証される場合には、この充電は、サーバを通過せず２つの装置間の直接的な相互の情報交換を介して行われることができる。
【００７３】
この後に、ステップ８２０において、サーバは、充電結果情報を充電要請装置から受信する。その後に、ステップ８３０において、サーバは、充電提供装置のＩＤを用いて充電結果情報を要請することにより充電結果情報を受信する。
【００７４】
この後に、ステップ８３５において、サーバは、課金及び割引過程を実行する。この場合に、サーバは、充電した量を考慮して予め契約された内容に従って電力提供装置に対して使用課金を割り引くか、又は予め契約された内容に従って電力受信装置に対して課金を実行することができる。
【００７５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７６】
１０１  基地局サーバ
１０２  バックボーン
１０３  基地局／ＡＰ
１０４、１０５、１０６  無線通信装置
２１０  電力送信部
２１１  電力変換部
２１２  コイル
２１３、２２３、２５０  制御部
２２０  電力受信部
２２２  コイル
２２１  電力配送部
２５５  無線充電部
２６０  入力部
２６５  表示部
２７０  格納部
２７５  無線通信部
【図１】
0005600188.tif 000002
【図２Ａ】
0005600188.tif 000003
【図２Ｂ】
0005600188.tif 000004
【図３】
0005600188.tif 000005
【図４】
0005600188.tif 000006
【図５】
0005600188.tif 000007
【図６】
0005600188.tif 000008
【図７】
0005600188.tif 000009
【図８】
0005600188.tif 000010